(57)【特許請求の範囲】
【請求項１】
本発明は、厚さ２ｍｍのポリプロピレン板ＰＰを、内側に二つに折りたたみ式で、便器本体１０と便座２０との間に収納する仕組みを構成する、洋式大便器用・男性の立ち小便飛散防御板装置。
【請求項２】
本発明は、請求項１に記載の洋式大便器用・男性の立ち小便飛散防御板装置であって、便座２０を開けると同時に、ハンドオペレーションレバーＨＬが重力により下がり、前記ポリプロピレン板ＰＰが、自動的に開くことを特徴とする洋式大便器用・男性の立ち小便飛散防御板装置。
【請求項３】
本発明は、請求項２記載の、ポリプロピレン板ＰＰが開いた時、便器本体１０の左右の縁の内側からポリプロピレン板ＰＰを外側に張り出すように広げて、さらに、使用者から見て、便器本体１０の手前の縁の内側からポリプロピレン板ＰＰの幅を外側に広くして設置し、小便の雫が床に垂れる事を防御する洋式大便器用・男性の立ち小便飛散防御板装置。
【請求項４】
本発明は、請求項２記載の、ハンドオペレーションレバーＨＬが下がる事により、ポリプロピレン板ＰＰが自動的に開く時に、ハンドオペレーションレバーＨＬと一体のコの字型に折り曲げ加工した鉄線ＩＷの両先端に、インダクションパーツＩＰを連動するように取り付けて、二つ折りのポリプロピレン板ＰＰが左右同時に開くようにした機構を備えた、洋式大便器用・男性の立ち小便飛散防御板装置。
【請求項５】
本発明は、請求項４記載の洋式大便器用・男性の立ち小便飛散防御板装置において、ハンドオペレーションレバーＨＬを手で押し上げる事により、ハンドオペレーションレバーＨＬと一体のコの字型に折り曲げ加工した鉄線ＩＷと、その両先端にインダクションパーツＩＰを連動するように取り付けて、ポリプロピレン板ＰＰが左右同時に内側に折りたたむようにした機構を備えた、洋式大便器用・男性の立ち小便飛散防御板装置。
【請求項６】
本発明は、請求項１から請求項５の何れか1項に記載の洋式大便器用・男性の立ち小便飛散防御板装置を便器本体１０に固定する為に、ポリプロピレン板ＰＰの下部に、アジャスター式本体固定パーツＡＰを蝶捻子ＦＳで結合し、アジャスター式本体固定パーツＡＰの鍔状の部分を両手で開きながら便器本体１０の両外側の縁を挟み込むようにしてセッテングできるようにした、洋式大便器用・男性の立ち小便飛散防御板装置。
【請求項７】
本発明は、請求項５の記載において、ポリプロピレン板ＰＰを内側に折りたたんで便座２０を下げた時に、ポリプロピレン板ＰＰの便座２０で覆われない部分を覆う、便座２０の裏に貼り付ける汚れ防止用衛生カバーＨＣを備えた、洋式大便器用・男性の立ち小便飛散防御板装置。
【発明の詳細な説明】
【技術分野】
【０００１】
本発明は、洋式大便器に設置するものであり、男性の立小便時における飛沫の飛散と、小便の雫が床に垂れる事を防御する、洋式大便器用・男性の立ち小便飛散防御板装置に関する。
【背景技術】
【０００２】
従来においては、特許文献１「洋風便器の小便補助機構及び小便補助具」又は、特許文献２「男子用便器」、特許文献３「洋式便器用の小便飛散防止装置」及び、特許文献４「飛散防止板付き洋式便器」に記載されたような技術が開示されている。
【０００３】
特許文献１は、従来の発想と異なる観点から、大便器の両サイドに小便補助具をセットし、かがんでひざまずいて小用する器具で、小便の飛散は防げますが、私が自分で代用品を使って試してみましたが、かがんでひざまずく動作が大変ではないかと思う。
特許文献２は、洋式大便器を跨いで設置された、本体フレームに収納している長方形で横型の先端が、小便収容筒状の専用の小便器を手前に傾けて小用する装置ですが、小便の勢いが強いうちは良いが、小便の勢いが弱まりかけた時に、一番手前の所の床に小便の雫が垂れるのを防御出来ないのではないかと思う。
特許文献３は、大便器の開口部のサイズに合わせて伸縮可能な蛇腹状に作成した装置を、便座の開閉に連動して立ち上げ、立ち小便時に使用するようですが、大便器の開口幅では少し狭すぎて、両サイドに小便が飛散してしまうおそれがあるし、前記同様、床に小便の雫が垂れるのを防御出来ない事が難点なように思う。
特許文献４は、便器本体の上端面に三日月形の２枚の彎曲をした長板を、拡張移動する可動式飛散防止板装置ですが、前方両サイドは小便の飛散を防げるが、後方３分の１ほどの部分と、前記同様、肝心の一番手前の所の床に小便の雫が垂れるのを防御出来ないので、中途半端なように思う。
【先行技術文献】
【特許文献】
【０００４】
【特許文献１】特許第３８９６３３７号公報
【特許文献２】特許第４３００２３５号公報
【特許文献３】特開２００２−０７０１１３号公報
【特許文献４】特開２０１２−２１９５９５号公報
【非特許文献】
【０００５】
【非特許文献１】特許文献１から特許文献３は、アスタミューゼにて、ヤフー・ジャパンのインターネット上に公開中。
【非特許文献２】特許文献４は、イコウホウ.ネットにて、ヤフー・ジャパンのインターネット上に公開中
【発明の概要】
【発明が解決しようとする課題】
【０００６】
本発明は、以上のような従来の欠点に鑑み、さらに、下記に述べるような課題を解決しようとするものである。
現在、各一般家庭のトイレでは洋式大便器が多く使用され、洋式大便器１台で男性も女性も共用している家庭が多く、男性が小用時に立ってするか、座ってするかで悩んでいる人が非常に多いと思われる。
ＴＯＴＯの２００９年の調査によれば「座ってする」が３割強に上り、５年前より１割増えたそうです。
男性としては堂々と立って小用といきたいのですが、どんなに注意しても、小便の飛沫が飛び散って、便器はもちろん、床や壁を汚してしまいがちで非衛生的です。
その悩みを解決し、トイレ内の衛生と清潔さと男の威厳を保つ事を目的としている。
【課題を解決するための手段】
【０００７】
上記目的を達成するために、私は本発明装置である洋式大便器用・男性の立ち小便飛散防御板装置を研究し、試行錯誤の上、自分の手で実際に制作し何度も試してみた結果から新たに提供するものである。
【０００８】
本発明装置は、便器本体１０と便座２０と便器カバー３０からなる洋式大便器において、ポリプロピレン板(厚さ２ｍｍ)ＰＰを、内側に二つに折りたたみ式で、便器本体１０と便座２０との間に収納する仕組みを構成し、便座２０を開けると同時にハンドオペレーションレバー(重力作動用鋼鉄内蔵)ＨＬが重力により下がり、ポリプロピレン板ＰＰが自動的に開いた状態で、便器本体１０の左右の縁の内側からポリプロピレン板ＰＰを外側に張り出すように広げて、さらに、使用者から見て、便器本体１０の手前の縁の内側からポリプロピレン板ＰＰの幅を外側に広くして設置し、小便の雫が床に垂れる事を防御する、洋式大便器用・男性の立ち小便飛散防御板を備え、また、洋式大便器用・男性の立ち小便飛散防御板装置を便器本体１０に固定する為に、ポリプロピレン板ＰＰの下部に、アジャスター式本体固定パーツ(厚さ２ｍｍのポリプロピレン板加工部品)ＡＰを蝶捻子(ＰＰ＋ＡＰ)ＦＳで結合し、アジャスター式本体固定パーツＡＰの鍔状の部分を両手で開きながら便器本体１０の両外側の縁を挟み込むようにしてセッテングできるようにした、洋式大便器用・男性の立ち小便飛散防御板装置。
【０００９】
フリー百科事典「ウィキペディア」によれば、ポリプロピレンは、プロピレンを重合させた熱可塑性樹脂である。
工業的に入手可能であり、包装材料、繊維、文具、プラスチック部品、種々の再利用可能な容器、実験器具、スピーカーコーン、自動車部品、紙幣など幅広い用途をもっている。
汎用樹脂の中で比重が最も小さく、水に浮かぶ。
強度が高く、吸湿性がなく、耐薬品（酸、アルカリを含む）性に優れている。（以下省略）
以上のことから解るように、ポリプロピレン板(厚さ２ｍｍ)ＰＰは、小便の飛沫が跳ねにくい事と小便が付着しても染み込まない為、汚れにくいので、トイレットペーパーで、さっと拭き取るだけで済みます。
又、本発明装置は、便器本体１０とは着脱が簡単に出来ますので、定期的に洗浄すれば衛生的で、いつまでも清潔さを保つ事ができる、洋式大便器用・男性の立ち小便飛散防御板装置を提供する。
尚、ポリプロピレン板は、本発明装置の使用材料としては最適と思われるが、他のプラスチック等樹脂系の材料も使用可能です。
【発明の効果】
【００１０】
以上の説明から明らかなように、本発明にあっては次に列挙する効果が得られる。
(１)請求項１から請求項７の構成要件で明らかなように、男性が普通に立って小用時に、小便の飛沫の飛散と小便の雫が床に垂れる事を防御する、洋式大便器用・男性の立ち小便飛散防御板装置を提供する。
【００１１】
(２)請求項６の構成要件で明らかなように、洋式大便器用・男性の立ち小便飛散防御板装置は、着脱が簡単にできる事から、定期的に洗浄すれば、いつまでも清潔さを保つ事ができ衛生的である。
【００１２】
(３) 前記（２）に関連して、既設の洋式大便器自体に対して、なんら形状変更等を必要とせずに本装置を設置する事ができ、小便の飛散等を十分に防御する事ができ、装置の維持管理も極めて簡単であり、使用者が違和感なく使用出来、さらに、洋式大便器の既設・新設を問わず容易に設置できることも特徴である。
【００１３】
(４) 前記（１）及び(２)に記載のとおり、便器本体１０やトイレ内の清潔感を保つ事ができ、又、大便に比べて小便の使用頻度がかなり多いと思われるし、普通に立って小用する事により、座って小用する時に睾丸を押さえたりする等、男性の生理的な現象を解消することができ、さらに、男の威厳を保つ事もできる。
【図面の簡単な説明】
【００１４】
【図１】本発明に係る、洋式大便器・男性の立ち小便飛散防御板装置の最良の形態の全体斜視図である。（実施例１）
【図２】本発明に係る、洋式大便器・男性の立ち小便飛散防御板装置の第１の形態の平面図である。（実施例２）
【図３】本発明に係る、洋式大便器・男性の立ち小便飛散防御板装置の第１の形態の正面図である。（実施例３）
【図４】本発明に係る、洋式大便器・男性の立ち小便飛散防御板装置の第１の形態の側面図である。（実施例４）
【図５】本発明に係る、洋式大便器・男性の立ち小便飛散防御板装置の第２の形態の平面図である。（実施例５）
【図６】本発明に係る、洋式大便器・男性の立ち小便飛散防御板装置の第３の形態の平面図である。（実施例６）
【図７】本発明に係る、洋式大便器・男性の立ち小便飛散防御板装置の第４の形態の平面図である。（実施例７）
【発明を実施するための形態】
【００１５】
以下、本発明の実施の形態を図に基づいて説明する。 
【実施例１】
【００１６】
図１は、本発明装置の実施例で、男性が普通に立ったままで小用が可能な状態の全体斜視図で、請求項１及び請求項２に記載のとおり、ポリプロピレン板(厚さ２ｍｍ)ＰＰを、内側に二つに折りたたみ式で、便器本体１０と便座２０との間に収納する仕組みを構成し、便座２０を開けると同時にハンドオペレーションレバー(重力作動用鋼鉄内蔵)ＨＬが重力により下がり、ポリプロピレン板ＰＰが自動的に開いた状態で、さらに、請求項６に記載の洋式大便器用・男性の立ち小便飛散防御板装置を便器本体１０に固定する為に、ポリプロピレン板ＰＰの下部に、アジャスター式本体固定パーツ(厚さ２ｍｍのポリプロピレン板加工部品)ＡＰを蝶捻子(ＰＰ＋ＡＰ)ＦＳで結合し、アジャスター式本体固定パーツＡＰの鍔状の部分を両手で開きながら便器本体１０の両外側の縁を挟み込むようにしてセッテングできるようにした、洋式大便器用・男性の立ち小便飛散防御板装置の形態図。
【実施例２】
【００１７】
図２は、実施例１記載の、本発明装置の平面図で、請求項３に記載のとおり、ポリプロピレン板(厚さ２ｍｍ)ＰＰを開いた時、便器本体１０の左右の縁の内側からポリプロピレン板ＰＰを外側に張り出すように広げて、さらに、使用者から見て、便器本体１０の手前の縁の内側からポリプロピレン板ＰＰの幅を外側に広くして設置し、小便の雫が床に垂れる事を防御する、洋式大便器用・男性の立ち小便飛散防御板を備えた洋式大便器用・男性の立ち小便飛散防御板装置の形態図。
【実施例３】
【００１８】
図３は、便座２０の裏に張り付ける汚れ防止用衛生カバー(厚さ２ｍｍのポリプロピレン板)ＨＣの形態の正面図と同時に、本発明装置である後方向正面図で、請求項６に記載のとおり、洋式大便器用・男性の立ち小便飛散防御板装置を便器本体１０に固定する為に、ポリプロピレン板ＰＰの下部に、アジャスター式本体固定パーツＡＰを蝶捻子ＦＳで結合し、アジャスター式本体固定パーツＡＰの鍔状の部分を両手で開きながら便器本体１０の両外側の縁を挟み込むようにしてセッテングできるようにし、さらに、請求項４に記載のとおり、ハンドオペレーションレバーＨＬが下がる事により、ポリプロピレン板ＰＰが自動的に開く時に、ハンドオペレーションレバーＨＬと一体のコの字型に折り曲げ加工した鉄線（防錆耐食性・φ４ｍｍ）ＩＷの両先端に、インダクションパーツ(ポリプロピレン板の折りたたみ開閉用補助部品金具)ＩＰを連動するように取り付けて、二つ折りのポリプロピレン板ＰＰが左右同時に開くようにした機構を備えた、洋式大便器用・男性の立ち小便飛散防御板装置の形態図。
【実施例４】
【００１９】
図４は、実施例３記載の、便座２０の裏に張り付けた汚れ防止用衛生カバーＨＣの形態と、本発明装置である男性の立ち小便飛散防御板装置の横方向側面図である。
【実施例５】
【００２０】
図５は、実施例２から４記載の、次の第２段階の実施例で請求項５に記載のとおり、洋式大便器用・男性の立ち小便飛散防御板装置において、ハンドオペレーションレバーＨＬを手で押し上げる事により、ハンドオペレーションレバーＨＬと一体のコの字型に折り曲げ加工した鉄線ＩＷと、その両先端にインダクションパーツＩＰを連動するように取り付けて、ポリプロピレン板ＰＰが左右同時に内側に折りたたむようにした機構を備えた、洋式大便器用・男性の立ち小便飛散防御板装置の平面図である。  
【実施例６】
【００２１】
図６は実施例５記載の次の第３段階の実施例で、さらに、便座２０を閉じて大便時に使用可能な状態にした平面図で、請求項７に記載のとおり、ポリプロピレン板ＰＰを内側に折りたたんで、便座２０を下げた時に、ポリプロピレン板ＰＰの便座２０で覆われない部分を、衣服に汚れが付着するのを防ぐために、便座２０の裏に貼り付ける汚れ防止用衛生カバーＨＣで覆った状態の平面図である。
【実施例７】
【００２２】
図７は、実施例６記載の次の第４段階の実施例で、さらに便器カバー３０を閉じた通常の使用前の状態の平面図である。
【産業上の利用可能性】
【００２３】
本発明は産業上の利用の可能性は少ないが、本発明装置である、洋式大便器用・男性の立ち小便飛散防御板装置の需要が増える事により、使用する材料の生産性が向上し、さらに、加工製作上の人手が必要になり、雇用の増大が見込める。
【符号の説明】
【００２４】
１０  便器本体
２０  便座
３０  便器カバー
ＰＰ  ポリプロピレン板(厚さ２ｍｍ)
ＨＬ  ハンドオペレーションレバー(重力作動用鋼鉄内蔵)
ＩＷ  コの字型に折り曲げ加工した鉄線(防錆耐食性・φ４ｍｍ)  
Ｉ Ｐ  インダクションパーツ(ポリプロピレン板の折りたたみ開閉用補助部品金具)
ＦＳ  蝶捻子(ＰＰ＋ＡＰ)
ＡＰ  アジャスター式本体固定パーツ(厚さ２ｍｍのポリプロピレン板加工部品)      
ＨＣ  便座裏に貼り付ける汚れ防止用衛生カバー(厚さ２ｍｍのポリプロピレン板)
【要約】      （修正有）【課題】小便の飛沫の飛散による便器、床、壁等の汚れを防ぐ洋式大便器用・男性の立ち小便飛散防御板装置を提供する。【解決手段】折りたたみ式の、ポリプロピレン板ＰＰを、便器本体１０の左右の縁の内側からＰＰ板を外側に張り出すように広げて、更に使用者から見て、便器本体１０の手前の内側からＰＰ板の幅を外側に広げて設置し男性が立って小用時に、小便の飛沫の飛散と、雫が床に垂れる事を防御する、洋式大便器用・男性の立ち小便飛散防御板装置。【選択図】図１【図１】
0005421485.tif 000002
【図２】
0005421485.tif 000003
【図３】
0005421485.tif 000004
【図４】
0005421485.tif 000005
【図５】
0005421485.tif 000006
【図６】
0005421485.tif 000007
【図７】
0005421485.tif 000008